(57)【要約】  組み立てが容易にできる、綴じ具を提供することを可能にすることである。  綴じ具１０は、綴環を有する綴環部材１２及び１４と、一対の綴環部材を連結する保持部材１６と、綴環を開く方向に付勢する開閉部材１８とを含み、綴環部材は、基部３０及び４０の軸方向に複数の綴環が基部に立設され、保持部材１６の足部２１０を移動自在に差し込むための穴部が、綴環の内側において基部に形成され、前記保持部材１６は、左右に分かれて形成された一対の足部２１２及び２２２を有し、前記綴環部材は、一方の綴環部材１２の第１の穴部３４に保持部材の一方の足部２１２が、綴環の内側において差し込まれ且つ他方の綴環部材１４の第２の穴部４４に保持部材１６の他方の足部２２２が、綴環の内側において差し込まれて、保持部材１６と連結され、一方の綴環部材と他方の綴環部材とを反対方向に移動させて綴環の綴環係合部３２を係止又は脱係するように形成されている。
2016076204.tif 000002
【特許請求の範囲】
【請求項１】
複数の綴環を有する綴環部材と、
一対の綴環部材を連結する保持部材と、
前記綴環を開く方向又は閉じる方向に付勢する開閉部材とを含み、
前記綴環部材は、基部の軸方向に複数の綴環が基部に立設され、保持部材の足部を移動自在に差し込むための穴部又は凹部が、綴環の内側において基部に形成され、
前記保持部材は、左右に分かれて形成された一対の足部を有し、
前記綴環部材は、一方の綴環部材の穴部又は凹部に保持部材の一方の足部が、綴環の内側において差し込まれ且つ他方の綴環部材の穴部又は凹部に保持部材の他方の足部が、綴環の内側において差し込まれて、保持部材と連結され、一方の綴環部材と他方の綴環部材とを反対方向に移動させて綴環の綴環係合部を係止又は脱係するように形成された、綴じ具。
【請求項２】
前記保持部材は、足部に綴環部材の穴部又は凹部から抜け出ないようにするための抜け止め凸部が形成された、請求項１に記載の綴じ具。
【請求項３】
前記綴環部材は、基部が、保持部材の左の端及び／又は右の端縁より外方に達する幅を備えた、請求項１又は請求項２に記載の綴じ具。
【請求項４】
前記綴環部材は、保持部材の足部を差し込まれる穴部又は凹部が、基部の長手方向にのびており、一方の綴部材及び／又は他方の綴部材を綴環部材の基部の長手方向に移動させて、綴環の自由端の綴環係止部を係止又は脱係するように形成された、請求項１ないし請求項３のいずれかに記載の綴じ具。
【発明の詳細な説明】
【技術分野】
【０００１】
この発明は、綴じ具に関し、特にたとえば、リングバインダないしはファイルとして用いられる綴じ具に関する。
【背景技術】
【０００２】
この発明の背景となる従来の綴じ具は、複数の開閉自在の綴環と、前記綴環を間隔をおいて設けることができる長さを備えた保持部材と、各綴環が間隔をおいてその表面に並列して固定され、綴環が保持部材に固定されるように保持部材の内側に固定された作動部材と、前記綴環を開く方向に付勢する開閉部材とを備え、前記作動部材は、一対の作動片からなり、一方の作動片には綴杆の一方の基部が固定され、他方の作動片には綴杆の他方の基部が固定され、前記綴環が閉じるときには、保持部材の内面より離れた位置において、その突き合わせ縁が突き合わせた状態において保持され、前記綴環が開くときには、保持部材の内面に近づいた方向に向いて保持されるように、保持部材に固定されている。
【先行技術文献】
【特許文献】
【０００３】
【特許文献１】特開２０１１−０４６１３０号公報
【発明の概要】
【発明が解決しようとする課題】
【０００４】
しかしながら、従来の綴じ具は、保持部材の貫通孔に保持部材の内側から綴杆を差し込む構造となっている。
かかる構造の従来の綴じ具は、湾曲した複数の綴杆を保持部材の貫通孔に差し込むには、手数がかかる。【０００５】
それゆえに、この発明の主たる目的は、組み立てが容易にできる、綴じ具を提供することを可能にすることである。
【課題を解決するための手段】
【０００６】
この発明にかかる綴じ具は、複数の綴環を有する綴環部材と、一対の綴環部材を連結する保持部材と、前記綴環を開く方向又は閉じる方向に付勢する開閉部材とを含み、前記綴環部材は、基部の軸方向に複数の綴環が基部に立設され、保持部材の足部を移動自在に差し込むための穴部又は凹部が、綴環の内側において基部に形成され、前記保持部材は、左右に分かれて形成された一対の足部を有し、前記綴環部材は、一方の綴環部材の穴部又は凹部に保持部材の一方の足部が、綴環の内側において差し込まれ且つ他方の綴環部材の穴部又は凹部に保持部材の他方の足部が、綴環の内側において差し込まれて、保持部材と連結され、一方の綴環部材と他方の綴環部材とを反対方向に移動させて綴環の綴環係合部を係止又は脱係するように形成された、綴じ具である。
この発明の請求項２にかかる綴じ具においては、前記保持部材は、足部に綴環部材の穴部又は凹部から抜け出ないようにするための抜け止め凸部が形成された、請求項１に記載の綴じ具である。
この発明の請求項３にかかる綴じ具においては、前記綴環部材は、基部が、保持部材の左の端及び／又は右の端縁より外方に達する幅を備えた、請求項１又は請求項２に記載の綴じ具である。
この発明の請求項４にかかる綴じ具においては、前記綴環部材は、保持部材の足部を差し込まれる穴部又は凹部が、基部の長手方向にのびており、一方の綴部材及び／又は他方の綴部材を綴環部材の基部の長手方向に移動させて、綴環の自由端の綴環係止部を係止又は脱係するように形成された、請求項１ないし請求項３のいずれかに記載の綴じ具である。
【発明の効果】
【０００７】
請求項１の発明によれば、組み立てが容易にできる綴じ具を提供することを可能にすることができる。
請求項２の発明によれば、綴環部材から保持部材の足部が抜け出すことが少ない。
請求項３の発明によれば、綴環部材の綴杆を太くして、強固なものにすることができる。
請求項４の発明によれば、綴環部材の綴環を容易に開閉できる。【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明が適用される第１の実施の形態であるリングファイル用綴じ具の一例を示す斜視図である。
【図２】図１に示す綴じ具の綴環を閉じた状態を示す斜視図である。
【図３】図１に示す綴じ具の綴環を閉じた状態を示す底面図解図である。
【図４】図１に示す綴じ具の綴環を閉じた状態を示す平面図解図である。
【図５】図１に示す綴じ具の綴環を開いた状態を示す部分平面図解図である。
【図６】図１に示す綴じ具の綴環を閉じた状態を示す部分正面図解図である。
【図７】図１に示す綴じ具の綴環を開いた状態を示す部分背面図解図である。
【図８Ａ】図１に示す綴じ具の綴環を開いた状態を示す図５Ｈ−Ｈ断面図解図である。
【図８Ｂ】図１に示す綴じ具の綴環を開いた状態を示す図５Ｊ−Ｊ断面図解図である。
【図９】図１に示す綴じ具の綴環を閉じた状態における図４Ｅ−Ｅ断面図解図である。
【図１０Ａ】（Ａ）は、図１に示す綴じ具の綴環を閉じた状態を示す図４Ａ−Ａ断面図解図であり、（Ｂ）は被綴じ物Ｓの開閉状態を示す断面図解図である。
【図１０Ｂ】図１に示す綴じ具の綴環を閉じた状態を示す図４Ｂ−Ｂ断面図解図である。
【図１０Ｃ】図１に示す綴じ具の綴環を閉じた状態を示す図３Ｃ−Ｃ断面図解図である。
【図１０Ｄ】図１に示す綴じ具の綴環を閉じた状態を示す図４Ｄ−Ｄ断面図解図である。
【図１１】図１に示す綴じ具の綴環を開いた状態を示す部分正面図解図である。
【図１２】図１に示す綴じ具の綴環を開いた状態を示す図４Ａ−Ａ断面図解図である。
【図１３】図１に示す綴じ具の綴環を開いた状態を示す図４Ｂ−Ｂ断面図解図である。
【図１４】保持部材の平面図解図である。
【図１５】保持部材の縦断面図解図である。
【図１６】図１５Ｉ部詳細図である。
【図１７】開いた状態における綴じ具の綴環部材の平面図解図である。
【図１８】閉じた状態における綴じ具の綴環部材の平面図解図である。
【図１９Ａ】綴環の係止部を示す平面図解図である。
【図１９Ｂ】綴環の係止部を示す底面図解図である。
【図１９Ｃ】綴環の係止部を示す側面図解図である。
【図２０Ａ】一方の綴環部材の側面図解図である。
【図２０Ｂ】他方の綴環部材の側面図解図である。
【図２１】綴環部材の部分拡大底面図解図である。
【図２２】綴環部材の部分拡大側面図解図である。
【図２３】綴環部材の部分拡大断面図解図である。
【図２４】綴環部材の正面図解図である。
【図２５】保持部材の横断面（図１５Ｆ−Ｆ断面）の図解図である。
【図２６】保持部材の横断面（図１５Ｇ−Ｇ断面）の図解図である。
【図２７】保持部材と綴環部材との組み立て方を示す断面図解図である。
【図２８】開閉部材の斜視図解図である。
【図２９】ボタン部材の斜視図解図である。
【図３０】ボタン部材の平面図解図である。
【図３１】ボタン部材の底面図解図である。
【図３２】ボタン部材の右側面図解図である。
【図３３】ボタン部材の縦断面図解図である。
【図３４】ボタン部材の正面図解図である。
【図３５】ボタン部材の背面図解図である。
【図３６】ボタン部材を保持部材及び作動部材に取り付けた状態を示す平面図解図である。
【図３７】ボタン部材を保持部材及び作動部材に取り付けた状態を示す底面図解図である。
【図３８】ボタン部材を保持部材及び作動部材に取り付けた状態を示す横断面図解図である。
【図３９】ボタン部材を保持部材及び作動部材に取り付けた状態を示す横断面図解図である。
【図４０】ボタン部材を作用させる方法を示す縦断面図解図である。
【図４１】ボタン部材を作用させる方法を示す縦断面図解図である。
【図４２】ボタン部材を作用させる方法を示す平面図解図である。
【図４３】ボタン部材を作用させる方法を示す底面図解図である。
【図４４】別の実施の形態である綴じ具の一例を示す正面図解図である。
【図４５】綴じ具の説明図である。
【図４６】綴じ具の説明図である。
【発明を実施するための形態】
【００１０】
図１は、この発明が適用される第１の実施の形態であるリングファイル用綴じ具の一例を示す斜視図である。
図２は、図１に示す綴じ具の綴環を閉じた状態を示す斜視図である。
図３は、図１に示す綴じ具の綴環を閉じた状態を示す底面図解図である。
図４は、図１に示す綴じ具の綴環を閉じた状態を示す平面図解図である。
図５は、図１に示す綴じ具の綴環を開いた状態を示す部分平面図解図である。
図６は、図１に示す綴じ具の綴環を閉じた状態を示す部分正面図解図である。
図７は、図１に示す綴じ具の綴環を開いた状態を示す部分背面図解図である。
【００１１】
図１ないし２に示す綴じ具１０は、ファイル・バインダ５００の表紙５１０に付設されている。表紙５１０は、厚紙その他の比較的硬質なシート材からなる。
表紙５１０は、表表紙５１２と、裏表紙５１４と、表表紙５１２と裏表紙５１４との間の背表紙５１６とを備え、表表紙５１２が薄肉ヒンジ部５１８を介して背表紙５１６に連設され、裏表紙５１４が薄肉ヒンジ部５２０を介して背表紙５１６に連設されている。綴じ具１０は、表紙５１０の略中央に形成される左右一対の薄肉ヒンジ部５１８及び薄肉ヒンジ部５２０の内側の背表紙５１６の内側表面に固定される。
固定する方法としては、綴じ具１０の保持部材１６の長手方向に間隔を置いて形成された取付孔２６０（後に詳述する）にボルトとナットやはとめ等の固着具Ｔを挿通させて、背表紙と一体となるように固定する方法がある。
なお、固着具は、例えば、ボルトとナット、ビス、はとめ、リベット等の棒状体のものを用いるとよい。
【００１２】
綴じ具１０は、複数の並列された環状の綴環を構成する一対のそれぞれ略円環状の半割杆を有する合成樹脂製の第１の綴環部材１２及び第１の綴環部材１２と一対の第２の綴環部材２４と、前記第１の綴環部材１２及び第２の綴環部材１４をそれぞれ間隔をおいて設けることができる幅を備えた保持部材１６と、第１の綴環部材１２と第２の綴環部材１４を開く方向に付勢する開閉部材１８と、第１の綴環部材１２及び第２の綴環部材１４を開くために保持部材１６の一端側において、第１の綴環部材１２の一端及び第２の綴環部材１４の一端に設けられたボタン部材２０とを備える。
【００１３】
綴じ具１０は、複数の綴環（第１綴環２２及び第１綴環２４）を有する綴環部材（第１の綴環部材１２及び第２の綴環部材１４）と、
一対の綴環部材（第１の綴環部材１２及び第２の綴環部材１４）を連結する保持部材１６と、
前記綴環（第１綴環２２及び第１綴環２４）を開く方向又は閉じる方向に付勢する開閉部材１８とを含み、
前記綴環部材（第１の綴環部材１２及び第２の綴環部材１４）は、基部（第１の基部３０及び第２の基部４０）の軸方向に複数の綴環（第１の半割杆５０及び第２の半割杆６０）が基部（第１の基部３０及び第２の基部４０）に立設され、保持部材１６の足部２１０を移動自在に差し込むための穴部又は凹部が、綴環の内側において基部に形成され、
前記保持部材１６は、左右に分かれて形成された一対の足部（第１の足部２１２及び第２の足部２２２）を有し、
前記綴環部材（第１の綴環部材１２及び第２の綴環部材１４）は、一方の綴環部材（第１の綴環部材１２）の第１の穴部３４又は凹部に保持部材の一方の足部（第１の足部２１２）が、綴環（第１の半割杆５０）の内側において差し込まれ且つ他方の綴環部材（第２の綴環部材１４）の第２の穴部４４又は凹部に保持部材１６の他方の第２の足部２２２が、綴環（第２の半割杆６０）の内側において差し込まれて、保持部材１６と連結され、一方の綴環部材（第１の綴環部材１２）と他方の綴環部材（第２の綴環部材１４）とを反対方向に移動させて綴環（第１の半割杆５０及び第２の半割杆６０）の綴環係合部３２を係止又は脱係するように形成されている。
【００１４】
綴じ具１０は、複数の綴環を有する多穴タイプであって、第１綴環２２と第２綴環２４とからなる２穴タイプから３穴、４穴、３０穴といった、第１綴環２２、第２綴環２４が一定の間隔をおいて並列した多穴タイプである。
【００１５】
[綴環部材]
この綴じ具１０の綴杆は、主綴杆たる第１の綴環部材１２と副綴杆たる第２の綴環部材１４とを備える開閉自在の３０穴タイプである。
第１の綴環部材１２と第２の綴環部材１４とは、長手方向の中心を中心とした点対称形の同一構造を備える。第１の綴環部材１２と第２の綴環部材１４とは、それぞれ合成樹脂で一体成形されている。
第１の綴環部材１２と第２の綴環部材１４とは、ボタン部材２０によって又は指で捻って、その綴環係合部３２を外すことができるように構成されている。
そして、綴杆を閉じるときは、主綴杆たる第１の綴環部材１２を、例えば親指と人差し指で直接挟んで閉じるように構成されており、第１の綴環部材１２を２本の指で挟んで閉じる方向に作動させると、副綴杆たる第２の綴環部材１４は追動するように構成されている。
【００１６】
前記第１の綴環部材１２は、複数の第１綴環２２及び、第２綴環２４が一直線状に並列するように、基部３０の軸方向に複数の第１の半割杆５０が基部３０に立設され、後述する保持部材１６の足部２１０を移動自在に差し込むための第１の穴部３４又は凹部が基部３０に形成されている。第１の半割杆５０は、一定の間隔をおいて、第１の基部３０の長手方向に一直線上に並列されている。
前記第２の綴環部材１４は、複数の第１綴環２２及び、第２綴環２４が一直線状に並列するように、基部４０の軸方向に複数の第２の半割杆６０が基部４０に立設され、後述する保持部材１６の足部２１０を移動自在に差し込むための第２の穴部４４又は凹部が基部４０に形成されている。第２の半割杆６０は、一定の間隔をおいて、第２の基部４０の長手方向に一直線上に並列されている。
【００１７】
前記綴環部材は、基部が、保持部材１６の左の端及び／又は右の端縁より外方に達する幅と、第１の半割杆５０及び第２の半割杆６０を複数並列される長さとを備えている。
前記第１の綴環部材１２は、基部３０が、保持部材１６の左の端より外方に達する幅と、第１の半割杆５０を複数一直線状に並列させるために長さを備えている。
【００１８】
第１の綴環部材１２及び第２の綴環部材１４は、第１の綴環部材１２と第２の綴環部材１４の幅方向の中間に位置する保持部材１６の外側に第１の綴環部材１２及び第２の綴環部材１４を移動自在に取付けるための取付孔２６０が、第１の綴環部材１２の第１の基部３０及び第２の綴環部材１４の第２の基部４０の長手方向に一定の間隔をおいて形成されている。
【００１９】
第１の綴環部材１２及び第２の綴環部材１４は、第１の綴環２２及び第２の綴環２４に、開閉する第１の半割杆５０と第２の半割杆６０とを係合及び脱係させるための綴環係合部３２が形成されている。
綴杆係合部３２は、第１の半割杆５０の自由端及び第２の半割杆６０の自由端に形成され、第１綴環２２の第１綴環２４の略々中央で頂上に位置している。
【００２０】
前記第１の綴環部材１２は、綴環取付け部２６を構成する保持部材１６の足部２１０を差し込まれる第１の穴部３４又は凹部が、第１の基部３０の長手方向にのびており、第１の綴環部材１２の基部３０の長手方向に移動させて、綴環係合部３２を構成する第１の半割杆５０の自由端の第１の綴環係止部３６が係止又は脱係するように形成されている。
前記第２の綴環部材１４は、綴環取付け部２６を構成する保持部材１６の足部２１０を差し込まれる第２の穴部４４又は凹部が、第２の基部４０の長手方向にのびており、第２の綴環部材１４の基部４０の長手方向に移動させて綴杆係合部３２を構成する第２の半割杆６０の自由端の第２の綴環係止部４６が係止又は脱係するように形成されている。
【００２１】
第１の穴部３４は、第１の基部３０の外側端縁３０ｂに突設された第１の半割杆５０の内側に形成されている。
第１の穴部３４は、後述する保持部材１６の足部２１０の足本体２１４の外周より大きい貫通孔であり、第１の穴部３４と足本体２１４との間に間隙が設けられている。
複数の第１の穴部３４の列は、第１の半割杆５０の内側の近傍において、第１の半割杆５０の根本部の列と平行に並列されており、各第１の穴部３４は、複数の第１の半割杆５０の間に配設されている。
第２の穴部４４は、第２の基部４０の外側端縁４０ｂに突設された第２の半割杆６０の内側に形成されている。
第２の穴部４４は、後述する保持部材１６の足部２１０の足本体２２４の外周より大きい貫通孔であり、第２の穴部４４と足本体２２４との間に間隙が設けられている。
複数の第２の穴部４４の列は、第２の半割杆６０の内側の近傍において、第２の半割杆６０の根本部の列と平行に並列されており、各第２の穴部４４は、複数の第２の半割杆６０の間に配設されている。
【００２２】
[保持部材]
保持部材１６は、第１の綴環部材１２と第２の綴環部材１４とを所定の間隔をおいて並列して設けることができる長さを備える平面視略長方形である。
保持部材１６は、第１の綴環部材１２及び第２の綴環部材１４を固定する部位より長手方向における外側近傍より内側に向かって、その中央が膨出した断面略円弧状の被綴じ物載置部２００を備え、且つ、被綴じ物載置部２００の両側は左右に分かれて形成された一対の足部２１０を備える。
保持部材１６は、合成樹脂で一体成形されている。
【００２３】
保持部材１６は、頂部（被綴じ物載置部２００）の両長手端縁から、頂部（被綴じ物載置部２００）の幅方向において左右に分かれて一対の足部（第１の足部２１２及び第２の足部２２２）が垂下されている。
第１の足部２１２と第２の足部２２２とは、平行で、略々対称形である。
頂部（被綴じ物載置部２００）の一方の端縁（左端縁）から下方にのびる第１の足部２１２は、足本体２１４から外方（左側）に向けてのびる第１凸部２１６が形成されている。
足本体２１４は、角柱状である。
頂部（被綴じ物載置部２００）の他方の端縁（右端縁）から下方にのびる第２の足部２２２は、足本体２２４から外方（右側）に向けてのびる第２凸部２２６が形成されている。
足本体２２４は、角柱状である。
【００２４】
保持部材１６は、被綴じ物載置部２００が、第１の綴環部材１２の第１の基部３０と第２の綴環部材１４の第２の基部４０とを並列した状態の第１の基部３０の第１の穴部３４と第２の基部４０の第２の穴部４４との間に対応した幅を備えている。
保持部材１６は、被綴じ物載置部２００の幅方向における両端に、綴環取付け部２６を構成する複数の第１の足部２１２と第２の足部２２２とが、被綴じ物載置部２００の長手方向において一定の間隔をおいて一直線状に並列されている。
保持部材１６は、被綴じ物載置部２００の幅方向における一端（左端）に形成された第１の足部２１２の足本体２１４を、第１の綴環部材１２の第１の基部３０に一直線状に形成された第１の穴部３４に差し込み連結される。
保持部材１６は、被綴じ物載置部２００の幅方向における一端（右端）に形成された第２の足部２２２の足本体２２４を、第２の綴環部材１４の第２の基部４０に一直線状に形成された第２の穴部４４に差し込み連結される。
前記保持部材１６は、一方の綴環部材（第１の綴環部材１２）の第１の穴部３４又は凹部に保持部材１６の一方の足部（第１の足部２１２）が差し込まれ且つ他方の綴環部材（第２の綴環部材１４）の第２の穴部４４又は凹部に保持部材１６の他方の足部（第２の足部２２２）が差し込まれて、綴環部材（第１の綴環部材１２及び第２の綴環部材１４）と連結されている。
保持部材１６は、一方の足部（第１の足部２１２）が第１の綴環部材１２の第１の穴部３４及び第１の半割杆５０と平行に並列され、他方の足部（第２の足部２２２）が第２の綴環部材１４の第２の穴部４４及び第２の半割杆６０と平行に並列されている。
すなわち、保持部材１６は、一方の足部（第１の足部２１２）及び他方の足部（第２の足部２２２）が、並列され接合された第１の綴環部材１２の第１の基部３０と第２の綴環部材１４の第２の基部４０と平行に並列され、且つ第１の綴環部材１２の第１の穴部３４及び第１の半割杆５０と第２の綴環部材１４の第２の穴部４４及び第２の半割杆６０と平行に並列されている。
第１の綴環部材１２と第２の綴環部材１４は、保持部材１６の長手方向において互い違いに移動することができるように、保持部材１６に取り付けられている。
第１の綴環部材１２と第２の綴環部材１４とは、保持部材１６の足部２１０の並列方向並びに第１の穴部３４及び第２の穴部４４の並列方向に沿って、保持部材１６の被綴じ物載置部２００並びに第１の綴環部材１２の第１の基部３０及び第２の綴環部材１４の第２の基部４０の長手方向に沿って、移動する。
【００２５】
保持部材１６は、一方の綴環部材（第１の綴環部材１２）と他方の綴環部材（第２の綴環部材１４）とを反対方向に移動させて、綴環（第１の綴杆３２及び第２の綴杆４２）の綴環係合部３２（第１の綴杆係止部３６及び第２の綴杆係止部４６）を係止又は脱係できるように形成されている。
【００２６】
前記保持部材１６は、綴環部材（第１の綴環部材１２及び第２の綴環部材１４）の穴部（第１の穴部３４及び第２の穴部４４）又は凹部から抜け出ないようにするための抜け止め凸部（第１凸部２１６及び第２凸部２２６）が、足部２１０に形成されている。
第１の足部２１２の第１凸部２１６は、第１の綴環部材１２の第１の基部３０の第１の穴部３４に差し込まれて、第１の基部３０の外側端縁３０ｂ側で第１の半割杆５０の根本部の下方の領域において、第１の綴環部材１２の第１の基部３０に配設される。
保持部材１６の第１の足部２１２の第１の側壁２０４は、第１の綴環部材１２の第１の半割杆５０の内側面と対向する。
第２の足部２２２の第２凸部２２６は、第２の綴環部材１４の第２の基部４０の第２の穴部４４に差し込まれて、第２の基部４０の外側端縁４０ｂ側で第２の半割杆６０の根本部の下方の領域において、第２の綴環部材１４の第２の基部４０に配設される。
保持部材１６の第２の足部２２２の第２の側壁２０６は、第２の綴環部材１４の第２の半割杆６０の内側面と対向する。
【００２７】
保持部材１６の被綴じ物載置部２００の両端には、その長手方向に略々その一端から他端に亘って、第１の綴環部材１２及び第２の綴環部材１４を摺動自在に保持する側壁２０２が設けられている。
保持部材１６の側壁２０２は、被綴じ物載置部２００の一端（左端）から垂下された第１の足部２１２の第１の側壁２０４と、被綴じ物載置部２００の他端（右端）から垂下された第２の足部２２２の第２の側壁２０６とを備える。
第１の側壁２０４は、第１の足部２１２の外面に形成され、第２の側壁２０６は、第２の足部２２２の外面に形成されている。
複数の第１の足部２１２の第１の側壁２０４は、平面状に並列されている。
複数の足本体２１４の第２の側壁２０６は、平面状に並列されている。
【００２８】
保持部材１６は、複数個の足部２１０が等間隔に並列され、複数の足部２１０の間に、綴環貫挿孔（第１の綴環貫挿孔２４０及び第２の綴環貫挿孔２４２）が穿設されている。すなわち、並列された複数の第１の足部２１２の間に、第１の綴環貫挿孔２４０が形成されており、並列された複数の第２の足部２２２の間に、綴環貫挿孔２４２が形成されている。
【００２９】
[綴環部材の基部]
第１の綴環部材１２及び第２の綴環部材１４は、平面視略長方形状の一対の第１の基部３０及び第２の基部４０を有する。
【００３０】
第１の基部３０は、一対の第２の基部４０と突き合わされる略直線状の突き合わせ縁４０ａが内側に形成され、前記突き合わせ縁３０ａと略平行な略直線状の外側端縁３０ｂが外側に形成されている。
第２の基部４０は、一対の第１の基部３０が突き合わされる略直線状の突き合わせ縁４０ａが内側に形成され、前記突き合わせ縁４０ａと略平行な略直線状の外側端縁４０ｂが外側に形成されている。
第１の綴環部材１２の第１の基部３０は、その長手方向において、保持部材１６の第１の側壁２０４と平行な外側端縁３０ｂが形成され、該外側端縁３０ｂと平行に当該一対の第１の基部３０と第２の基部４０とを突き合わせる突き合わせ縁３０ａが内側縁に形成されている。
第２の綴環部材１４の第２の基部４０は、その長手方向において、保持部材１６の第２の側壁２０６と平行な外側端縁４０ｂが形成され、該外側端縁４０ｂと平行に当該一対の第２の基部４０と第１の基部３０とを突き合わせる突き合わせ縁４０ａが内側縁に形成されている。
【００３１】
第１の綴環部材１２の第１の基部３０は、保持部材１６の長手方向の長さと略々同じ長さを備え、保持部材１６の幅の半分以上の幅を備えている。
第１の綴環部材１２は、第２の綴環部材１４と対向する突き合わせ縁３０ａと、幅方向において前記第２の綴環部材１４と対向する端縁とは反対側の綴環取付端縁（外側端縁３０ｂ）とを備える。第１の基部３０は、外側端縁３０ｂに第１の半割杆５０が突設されている。
前記第２の綴環部材１４と対向する突き合わせ縁３０ａと、幅方向において前記突き合わせ縁３０ａとは反対側の綴環取付端縁（外側端縁３０ｂ）とは、保持部材１６の被綴じ物載置部２００の幅の半分の長さと同等又はそれ以上の長さの間隔をおいている。
第１の基部３０は、第１の綴杆３２及び第２の綴杆４２を開いたとき、第１の綴環部材１２の突き合わせ縁３０ａが保持部材１６の被綴じ物載置部２００の内面に達する長さを備える。
【００３２】
第２の綴環部材１４の第２の基部４０は、保持部材１６の長手方向の長さと略々同じ長さを備え、保持部材１６の幅の半分以上の幅を備えている。
第２の綴環部材１４は、第１の綴環部材１２と対向する突き合わせ縁４０ａと、幅方向において前記第１の綴環部材１２と対向する端縁とは反対側の綴環取付端縁（外側端縁４０ｂ）とを備える。第２の基部４０は、外側端縁４０ｂに第２の半割杆６０が突設されている。
前記第１の綴環部材１２と対向する突き合わせ縁４０ａと、幅方向において、前記突き合わせ縁４０ａとは反対側の綴環取付端縁（外側端縁４０ｂ）とは、保持部材１６の被綴じ物載置部２００の幅の半分の長さと同等又はそれ以上の長さの間隔をおいている。
第２の基部４０は、第１の綴杆３２及び第２の綴杆４２を開いたとき、第１の綴環部材１２の突き合わせ縁４０ａが保持部材１６の被綴じ物載置部２００の内面に達する長さを備える。
【００３３】
第１の基部３０は、その外側の下面が幅方向において外側（左側）に向かうに従って上昇する傾斜面である。
第１の基部３０の傾斜面は、第１綴環２２及び第２綴環２４を開いたとき、足部２１０の第１凸部２１６の上面と接し、開き角度を規制する。
第２の基部４０は、その外側の下面が幅方向において外側（右側）に向かうに従って上昇する傾斜面である。
第２の基部４０の傾斜面は、第１綴環２２及び第２綴環２４を開いたとき、足部２１０の第２凸部２２６の上面と接し、開き角度を規制する。
【００３４】
第１の綴環部材１２及び第２の綴環部材１４は、突き合わせ縁３０ａ及び突き合わせ縁４０ａの長手方向における中央Ｍ（図３図示）を対称の中心とする点対称形で、保持部材１６の外側周縁において各々をその長手方向において並置したとき、各々その内側縁において屈曲自在に係合する。
【００３５】
そして、第１の基部３０及び第２の基部４０は、外側から力が加わらないときには、第１の基部３０と第２の基部４０とが水平面状に突き合わせられ、すなわち保持部材１６の被綴じ物載置部２００の内面より離れた方向（突き合わせ縁３０ａ及び突き合わせ縁４０ａが、図４５図示平面Ｐxy上に）に向いて、あるいはまた、山折り、すなわち保持部材１６の被綴じ物載置部２００の内面に近づいた方向（突き合わせ縁３０ａ及び突き合わせ縁４０ａが図４５図示平面Ｐxyより上側）に向いて、その水平面状態または山折りの状態を維持するように、保持部材１６の内側より外側の周辺に至るように配設されている。
平面Ｐxyとは、第１の綴環部材１２と第２の綴環部材１４のそれぞれの綴環（第１の半割杆５０及び第２の半割杆６０）が第１の基部３０及び第２の基部４０に固着された部分（４箇所）を通る左右軸Ｙ1，Ｙ2及び前後軸Ｘ１，Ｘ２（図４５図示）を含む平面である。
【００３６】
第１の綴環部材１２は、第１の基部３０における保持部材１６の被綴じ物載置部２００側の表面（すなわち上面）には、第１の綴環２２及び第２の綴環２４を構成する第１の半割杆５０の根本部が連設されている。
また、他方の第２の基部４０における保持部材１６の被綴じ物載置部２００側の表面（すなわち上面）には、綴環２２及び第２の綴環２４を構成する第２の半割杆６０の根本部が連設されている。
【００３７】
取付孔２６０は、保持部材１６の被綴じ物載置部２００並びに第１の基部３０の突き合わせ縁３０ａ及び第２の基部４０の突き合わせ縁４０ａに形成されている。
取付孔２６０は、保持部材１６並びに第１の基部３０及び第２の基部４０の長手方向において適宜な間隔をあけて２個ないし複数個形成されている。
保持部材１６に形成されている取付孔２６０は、表紙５１０に取り付けるための固着具によって、綴じ具１０を堅固に固定するに適する形状に形成されている。
保持部材１６に形成された取付孔２６０は、第１の綴環部材１２の第１の半割杆５０及び第２の綴環部材１４の第２の半割杆６０を開閉するときに、第１の基部３０及び第２の基部４０が移動するに適する円筒状に形成されている。例えば、円筒状の取付孔２６０は、第１の基部３０の突き合わせ縁３０ａと第２の基部４０の突き合わせ縁４０ａとに形成された半円形の孔が合わさって一つの円形の空間に緩挿される径とする。
【００３８】
この実施の形態においては、取付孔２６０は、保持部材１６の被綴じ物載置部２００に形成された第１の取付孔２６２と、第１の基部３０及び第２の基部４０に形成された第２の取付孔２６４とを備える。
第１の取付孔２６２は、被綴じ物載置部２００より垂下された筒状部を備え、筒状部の貫通孔内に固着具、例えば鋲が貫挿される。
第２の取付孔２６４は、前記第１の取付孔２６２の筒状部の外側面との間に第１の基部３０及び第２の基部４０を移動するための空間を設けるように、第１の取付孔２６２より大きな平面視六角形ないしは楕円形の孔を形成されている。
取付孔２６０は、中央と手前側と向こう側との三箇所に形成されている。
【００３９】
前記第１の綴環部材１２は、一対の第１の基部３０及び第２の基部４０を係合させるための係合部６０及び係合部６２が、第１の綴環部材１２の突き合わせ縁３０ａから第２の綴環部材１４の突き合わせ縁４０ａに向けて突き出し設けられ、且つ、第２の綴環部材１４は、一対の第１の基部３０及び第２の基部４０を係合させるための係合部７０及び係合部７２が、第２の基部４０の突き合わせ縁４０ａから第１の綴環部材１２の突き合わせ縁３０ａに向けて突き出し設けられている。
第１の綴環部材１２の係合部６０及び係合部６２と第２の綴環部材１４の係合部７０及び係合部７２とは、対向する第１の基部３０及び第２の基部４０の下側に向けて延びて突き合わせ縁３０ａ及び突き合わせ縁４０ａを中心にして第１の綴環部材１２と第２の基部４０とが揺動するように形成されている。
【００４０】
第１の綴環部材１２の係合部６０及び係合部６２と第２の綴環部材１４の係合部７０及び係合部７２とは、保持部材１６の被綴じ物載置部２００の内面側に向けて、第１の綴環部材１２の第１の基部３０及び第２の綴環部材１４の第２の基部４０の厚み分を突き出された立ち上がり部と、前記立ち上がり部の先端より突き出された押さえ部とを備えた断面視略Ｌ字状に形成されている。そして、押さえ部は、一対の第１の綴環部材１２の第１の基部３０及び第２の綴環部材１４の第２の基部４０のはずれ止めの機能を備える。
【００４１】
そして、前記第１の綴環部材１２の第１の基部３０及び第２の綴環部材１４の第２の基部４０を閉じるときには、図１０に示すように、第１の綴環部材１２の第１の第１の綴杆３２及び第２の綴環部材１４の第２の綴杆４２は、その突き合わせ縁３０ａ及び突き合わせ縁４０ａが保持部材１６の内面（被綴じ物載置部２００の内面）より離れた方向に向いて（すなわち水平の状態）、第１の基部３０の突き合わせ縁３０ａと第２の基部４０の突き合わせ縁４０ａとが突き合わされた状態において保持される。
それとともに、前記第１の綴環部材１２の第１の綴杆３２及び第２の綴環部材１４の第２の綴杆４２を開くときには、図１２及び１４に示すように、第１の基部３０の第１の綴杆３２及び第２の綴環部材１４の第２の基部４０は、保持部材１６の内面（被綴じ物載置部２００の内面）に近づいた方向に向いて（すなわち山折り状態）、突き合わせ縁３０ａと突き合わせ縁４０ａとが突き合わされた状態に保持されるように保持部材１６内の空間において保持される。
【００４２】
また、第１の綴環部材１２及び第２の綴環部材１４は、保持部材１６の被綴じ物載置部２００の内面に近づいた方向、すなわち山折りの状態においては、第１の基部３０と第２の基部４０の長手方向、すなわち第１の基部３０形成された複数の第１の綴杆３２を結ぶ線（Ｘ１（図４５図示））及び第２の基部４０に形成された複数の第２の綴杆４２を結ぶ線（Ｘ２（図４５図示））と平行な方向に、第１の綴環部材１２と第２の綴環部材１４とを移動させることができるように摺動自在に配設されている。
【００４３】
第１の綴環部材１２及び第２の綴環部材１４は、開閉部材収容部１００の外側近傍において、第１の綴環部材１２の第１の基部３０及び第２の綴環部材１４の第２の基部４０の長手方向への移動を規制する移動規制部が形成されている。
移動規制部は、第１の基部３０の突き合わせ縁３０ａに形成された規制凹部８０及び規制凸起８２と、第２の基部４０の突き合わせ縁４０ａに形成された規制凹部９０及び規制凸起９２とから形成される。
規制凹部８０は、突き合わせ縁３０ａより幅方向において凹んだ平面視コ字型の欠きであり、規制凸起９２は、前記規制凹部８０と遊嵌するように形成された平面視コ字型の凸起である。規制凹部８０に規制凸起９２が遊嵌されて、規制凹部８０内において第１の綴環部材１２の第１の基部３０と第２の綴環部材１４の第２の基部４０とがその長手方向に互い違いに移動するように形成されている。
規制凹部９０は、突き合わせ縁４０ａより幅方向において凹んだ平面視コ字型の欠きであり、規制凸起９２は、前記規制凹部９０と遊嵌するように形成された平面視コ字型の凸起である。規制凹部９０に規制凸起９２が遊嵌されて、規制凹部９０内において第１の綴環部材１２の第１の基部３０と第２の綴環部材１４の第２の基部４０とがその長手方向に互い違いに移動するように形成されている。
【００４４】
前記第１の綴環部材１２の第１の基部３０及び第２の綴環部材１４の第２の基部４０は、前記開閉部材１８を収容するために、開閉部材収容部１００が、第１の綴杆３２及び第２の綴杆４２が形成された表面とは反対側の裏面側より表面側に向けて凹設されている。
この発明の実施の形態においては、第１の綴環部材１２の第１の基部３０及び第２の綴環部材１４の第２の基部４０の長手方向の中心より一定距離をおいて、手前側と向こう側の２箇所に設けられている。
前記第１の綴環部材１２の第１の基部３０及び第２の綴環部材１４の第２の基部４０は、第１の基部３０の突き合わせ縁３０ａの近傍が第１の綴環部材１２の突き出る方向に向けて凹まされ且つ第２の基部４０の突き合わせ縁４０ａの近傍が第２の綴環部材１４の突き出る方向に向けて凹まされることにより、第１の綴環部材１２に形成された凹み１０２と第２の基部４０に形成された凹み１０４とを形成されてなる開閉部材収容部１００が形成されている。
開閉部材収容部１００は、第１の基部３０及び第２の基部４０の長手方向における中央の点より等しい距離で離れた手前側の点Ｍ１と向こう側の点Ｍ２を挟んだ２箇所に形成されている。
凹み１０２は、突き合わせ縁３０ａ側が深く凹まされ、第１の綴環部材１２側の上縁及び第２の綴環部材１４側の下縁は略平行で、突き合わせ縁３０ａと斜交する平面視略三角形状である。
凹み１０４は、突き合わせ縁４０ａ側が深く凹まされ、第１の綴環部材１２側の上縁及び第２の綴環部材１４側の下縁は略平行で、突き合わせ縁４０ａと斜交する平面視略三角形状である。
前記開閉部材収容部１００は、第１の綴環部材１２に形成された凹み１０２と第２の基部４０に形成された凹み１０４とが、突き合わせ縁３０ａ及び突き合わせ縁４０ａを中心として点対称形に形成されて構成されている。
前記開閉部材１８は、第１の綴環部材１２及び第２の綴環部材１４が固定された表面とは反対側の裏面側において、第１の綴環部材１２の第１の基部３０及び第２の綴環部材１４の第２の基部４０の前記開閉部材収容部１００に固定され、前記第１の綴環部材１２及び第２の綴環部材１４を開くときに、保持部材１６内で、前記第１の基部３０及び第２の基部４０を保持部材１６の長手方向に移動させるとともに保持部材１６の内面に近づいた方向に保持されるように、第１の綴環部材１２及び第２の綴環部材１４を開く方向に変化させるように形成されているので、開閉部材収容部１００は、開閉部材１８を収容し、開閉部材１８の作用により第１の綴環部材１２と第２の基部４０とが低背化を図るように構成されている。
【００４５】
第１の基部３０に取り付けられた第１の半割杆５０は、第１の基部３０側の根元部が保持部材１６に接し合い摺動するために摺動部１３０を備える。
第２の基部４０に取り付けられた第２の半割杆６０は、第２の基部４０側の根元部が保持部材１６に接し合い摺動するために摺動部１３２を備える。
【００４６】
[開閉部材]
第１の綴環部材１２の第１の基部３０の凹み１０２内における突き合わせ縁３０ａ側及び第２の綴環部材１４の第２の基部４０の凹み１０４内における突き合わせ縁４０ａ側において、第１の綴環部材１２と第２の綴環部材１４とを開閉方向に変化させる開閉部材１８が設けられている。
前記開閉部材１８は、前記第１の綴環部材１２の第１の基部３０及び第２の綴環部材１４の第２の基部４０を構成する一対の第１の綴環部材１２の第１の基部３０と第２の綴環部材１４の第２の基部４０との間において、一対の第１の綴環部材１２の第１の基部３０と第２の綴環部材１４の第２の基部４０をそれぞれ逆方向に移動させるとともに、綴杆すなわち第１の綴杆３２及び第２の綴杆４２の開閉状態を保持させるように、第１の綴環部材１２の第１の基部３０に間隔をおいて固定された綴杆すなわち複数の第１の半割杆５０の基部を結ぶ方向と斜めに交差する方向であり、且つ第２の綴環部材１４の第２の基部４０に間隔をおいて固定された綴杆すなわち複数の第２の半割杆６０の基部を結ぶ方向と斜めに交差する方向に、架け渡されている。
開閉部材１８は、引っ張りコイルバネからなり、巻線部１８４と、巻線部１８４の両端から巻線部１８４を巻き起こしてフックとした固定先端部１８０及び固定先端部１８２とを備える。開閉部材１８は、図２８に示すように、巻線部１８４の円周方向に規制腕部１８６と規制腕部１８８とが平行に突き出されている。
【００４７】
前記開閉部材１８は、第１の綴環部材１２と第２の綴環部材１４とが閉じた状態において、無負荷時には密着していた巻線部１８４がのびるように引っ張られた引っ張り荷重を受けた状態で、荷重を受ける固定先端部１８０が第１の綴環部材１２の第１の基部３０に、固定先端部１８２が第２の綴環部材１４の第２の基部４０に固定されている。
更に、第１の綴環部材１２と第２の綴環部材１４とが閉じた状態において、開いた状態から閉じた状態への方向に向けて第１の綴環部材１２の第１の基部３０と第２の綴環部材１４の第２の基部４０とを突き合わせ縁３０ａ及び突き合わせ縁４０ａを中心に回動させる方向に、巻線部１８４（コイル）の中心軸まわりにねじりモーメントを受け、ばねに荷重が加わり、素線に曲げ応力を発生させて、固定先端部１８０が第１の綴環部材１２の第１の基部３０に、固定先端部１８２が第２の綴環部材１４の第２の基部４０に固定されている。
この場合、開閉部材１８は、巻線部１８４にねじりモーメントなどの負荷が加わっていない状態（図２８（Ｂ）図示）からみて、巻線部１８４の巻き数が１巻以上増えるように巻線部１８４を１回転以上ねじった状態（固定先端部１８０及び規制腕部１８６がＲ方向、固定先端部１８２及び規制腕部１８８がＱ方向（図２８（Ｂ）図示））で、固定先端部１８０及び４２ｂが開閉部材固定部１１０及び開閉部材固定部１１２にそれぞれ固定される。
ばねに荷重を加える荷重の方向としては、巻線部１８４（コイル）を巻き込む方向に向くように構成されている。
【００４８】
規制腕部１８６及び規制腕部１８８は、固定先端部１８０及び固定先端部１８２の第１の綴環部材１２の第１の基部３０及び第２の綴環部材１４の第２の基部４０に固定される側から巻線部１８４の中心軸と直交する方向にのび、一方の規制腕部１８６と他方の規制腕部１８８とは、ねじりモーメントが発生しない元の状態は、図２８（Ｂ）に示すように、巻線部１８４の円周方向に略平行に突き出され、互いに反対向きにのびる。
一方の規制腕部１８６は、固定先端部１８０が第１の綴環部材１２の第１の基部３０の開閉部材固定部１１０に固定されたとき、第１の綴環部材１２の第１の基部３０の裏面にその先端が突き当たり、他方の規制腕部１８８は、固定先端部１８２が第２の綴環部材１４の第２の基部４０の開閉部材固定部１１２に固定されたとき、第２の綴環部材１４の第２の基部４０の裏面（下面）にその先端が突き当たり、丸フックの固定先端部１８０及び固定先端部１８２が大きく傾くことなく、常に正規の状態にて開閉部材固定部１１０及び開閉部材固定部１１２に固定されるように構成されている。
ねじりモーメントが発生しない元の状態においては、一方の規制腕部１８６ともう一方の規制腕部１８８とは平行になるように形成されている。
【００４９】
開閉部材１８は、その固定先端部１８０の一端が第１の綴環部材１２の第１の基部３０の裏面（下面）に形成された開閉部材固定部１１０に係止固定され、開閉部材１８の固定先端部１８２の一端が第２の綴環部材１４の第２の基部４０の裏面（下面）に形成された開閉部材固定部１１２に係止固定されている。
開閉部材固定部１１０は、開閉部材収容部１００の凹み１０２の裏面（下面）であって、第１の綴環部材１２の第１の基部３０の長手方向の中心Ｍより分かれた点Ｍ１とＭ２（図３図示）より第１の綴環部材１２及び第２の綴環部材１４を開くときに第１の綴環部材１２の第１の基部３０の移動する方向側にずれた位置に形成され、開閉部材固定部１１２は、開閉部材収容部１００の凹み１０４の裏面（下面）であって、第２の綴環部材１４の第２の基部４０の長手方向の中心Ｍより分かれた点Ｍ１とＭ２（図３図示）より第１の綴じ杆１２及び第２の綴じ杆１４を開くときに第２の綴環部材１４の第２の基部４０の移動する方向側にずれた位置に形成されている。
【００５０】
開閉部材１８は、第１の綴環部材１２の第１の基部３０と第２の綴環部材１４の第２の基部４０との突き合わせ縁３０ａ及び突き合わせ縁４０ａが、水平状態（図９及び１０図示）、すなわち保持部材１６の被綴じ物載置部２００の内面より離れた状態に保持された状態にあるときに、伸展した状態となるように、第１の綴環部材１２の第１の基部３０と第２の綴環部材１４の第２の基部４０との間において斜めに架け渡され、この状態において、元の状態に戻ろうとする力が働くように構成されている。
開閉部材１８は、第１の綴環部材１２の第１の基部３０及び第２の綴環部材１４の第２の基部４０のそれぞれの長手方向、すなわち第１の綴環部材１２の第１の基部３０の複数の第１の半割杆５０を固定する部位を結ぶ線（前後軸Ｘ１（図４５図示））及び第２の綴環部材１４の第２の基部４０の複数の第２の半割杆６０を結ぶ線（前後軸Ｘ２（図４５図示））と斜めに交差する方向に架け渡されている。
【００５１】
第１の綴環部材１２の第１の基部３０の開閉部材固定部１１０と第２の綴環部材１４の第２の基部４０の開閉部材固定部１１２とは、突き合わせ縁３０ａ及び突き合わせ縁４０ａの長手方向における中心Ｍより分かれた点Ｍ１とＭ２（図３図示）を回転軸として点対称となるように形成され、開閉部材１８が突き合わせ縁３０ａ及び突き合わせ縁４０ａの長手方向における中心Ｍより分かれた点Ｍ１とＭ２（図３図示）より均一な長さによって固定先端部１８０が開閉部材固定部１１０に、固定先端部１８２が開閉部材固定部１１２に係止されて、均一な力が第１の綴環部材１２の第１の基部３０及び第２の綴環部材１４の第２の基部４０にかかるように構成されている。
第１の綴環部材１２の第１の基部３０の突き合わせ縁３０ａ及び第２の綴環部材１４の第２の基部４０の突き合わせ縁４０ａにおいて突き合わされた第１の綴環部材１２の第１の基部３０と第２の綴環部材１４の第２の基部４０との間における距離を、一定に保ち、第１の綴環部材１２の第１の基部３０と第２の綴環部材１４の第２の基部４０とを引き寄せてそれぞれの位置関係を最適な状態に保つ。
したがって、綴杆を構成する第１の綴環部材１２及び第２の綴環部材１４の開閉時において、第１の綴環部材１２の第１の基部３０及び第２の綴環部材１４の第２の基部４０が突き合わせ縁３０ａ及び突き合わせ縁４０ａを枢軸として揺動するときにおいて、第１の綴環部材１２の第１の基部３０の幅と第２の綴環部材１４の第２の基部４０の幅との和が最大になったとき、すなわち、第１の綴環部材１２の第１の基部３０と第２の綴環部材１４の第２の基部４０とが平面状態（中立状態）になったときにおいても、第１の綴環部材１２の第１の半割杆５０の最も内側の縁と保持部材１６の第１の足部２１２との間及び第２の綴環部材１４の第２の半割杆６０の最も外側の縁（外側端縁３２ｂ）と保持部材１６の第２の足部２２２との間に適宜な間隙が生じ、保持部材１６の第１の側壁２０４及び第２の側壁２０６の外側において第１の綴環部材１２の第１の基部３０及び第２の綴環部材１４の第２の基部４０が円滑に移動できる。
【００５２】
そして、１対の前記第１の綴環部材１２の第１の基部３０及び第２の綴環部材１４の第２の基部４０は、前記保持部材１６の長手方向において互いに逆方向に移動させることにより、前記半割杆の組み合わせによる前記第１綴環２２及び第１綴環２４が分離され、前記第１の綴環部材１２の第１の半割杆５０及び第２の綴環部材１４の第２の半割杆６０が分離されたときに、前記開閉部材１８は、前記第１の綴環部材１２の第１の基部３０と第２の綴環部材１４の第２の基部４０とを付勢して、前記第１の半割杆５０と第２の半割杆６０及び第３の半割杆１４ａと第４の半割杆１４ｂとを開放させる。
【００５３】
そして、開閉部材１８の弾性により、第１の綴環部材１２の第１の基部３０及び第２の綴環部材１４の第２の基部４０は、ボタン部材２０を押して第１の綴環部材１２の第１の半割杆５０と第２の綴環部材１４の第２の半割杆６０とを開き始めたとき又は第１の綴環部材１２の第１の半割杆５０と第２の綴環部材１４の第２の基部４０を手で開き始めたとき、すなわち、第１の綴環部材１２と第２の綴環部材１４のそれぞれの綴環係合部３２（第１の綴環係止部３６及び第２の綴環係止部４６）を外したとき、伸びていた開閉部材１８の巻線部１８４を更に伸ばす方向に作用させ、第１の綴環部材１２の第１の半割杆５０と第２の半割杆６０とが離れる方向（第１の半割杆５０はＯ１方向で、第２の半割杆６０はＯ２方向（図４５図示））に移動し、第１の綴環部材１２の第１の基部３０と第２の綴環部材１４の第２の基部４０とをそれぞれ逆方向（第１の綴環部材１２の第１の基部３０はＯ１方向で、第２の綴環部材１４の第２の基部４０はＯ２方向（図４５図示））に移動させるように作用する。
【００５４】
さらに、開閉部材１８は、第１の半割杆５０と第２の半割杆６０とを円周方向（図４５図示の左右軸Ｙ１及び左右軸Ｙ２方向）に引き離すように作用する。ねじられていた開閉部材１８は、図４５の矢印方向に示すように元の状態に戻ろうとして、第１の半割杆５０と第２の半割杆６０とを円周方向（第１の半割杆５０はＯ３方向、第２の半割杆６０はＯ４方向（図４５図示））に引き離すように作用する。
【００５５】
そして、開閉部材１８は、開閉部材１８の弾性により伸びていた巻線部１８４が縮む方向に作用して、第１の綴環部材１２の第１の基部３０及び第２の綴環部材１４の第２の基部４０は、綴環係合部３２（第１の綴環係止部３６及び第２の綴環係止部４６）を閉じる位置の方向（Ｏ１とは反対の方向（図４５図示））に移動し、且つ、第２の綴環部材１４の第２の基部４０は、綴環係合部３２（第１の綴環係止部３６及び第２の綴環係止部４６）を閉じる位置の方向（Ｏ２とは反対の方向（図４５図示））に移動する。
すなわち、第１の綴環部材１２の第１の基部３０及び第２の綴環部材１４の第２の基部４０は、平面状態（中立状態）から山折り状態に変わる。第１の綴環部材１２及び第２の綴環部材１４は、開く方向（第１の半割杆５０はＯ３方向、第２の半割杆６０はＯ４方向）に回転して開く。
開閉部材１８は、第１の綴環部材１２と第２の綴環部材１４とを開いた状態にしたとき、第１の綴環部材１２の第１の基部３０の突き合わせ縁３０ａと第２の綴環部材１４の第２の基部４０の突き合わせ縁４０ａとが山折り状態、すなわち、保持部材１６の被綴じ物載置部２００の内側面に近づいた状態に保持するように作用する。
【００５６】
[ボタン部材]
第１の綴環部材１２及び第２の綴環部材１４は、一方の端部及び／又は他方の端部の近傍に、作動部材を構成する第１の綴環部材１２及び第２の綴環部材１４を移動させるためのボタン部材２０を備える。
次に、ボタン部材２０について、主として図２９ないし図４１に基づいて説明する。
【００５７】
前記ボタン部材２０は、第１の綴環部材１２と第２の綴環部材１４とが並列する方向に作動させて該第１の綴環部材１２の第１の半割杆５０及び第２の綴環部材１４の第２の半割杆６０を開くように、第１の基部３０と他方の第２の基部４０とを反対方向に移動させるための、第１の腕部３２０と第２の腕部３３０とを有している。
【００５８】
第１の腕部３２０は、一方の作動片（第２の基部４０）を第１の腕部３２０の側に移動させ、第２の腕部３３０は、他方の作動片（第１の基部３０）を第１の腕部３２０とは反対側に移動させるように構成されている。
【００５９】
ボタン部材２０は、保持部材１６の一方の端部及び／又は他方の端部に、第１の綴環部材１２と第２の綴環部材１４とが並列する方向に回転するように、（第１の）枢軸３００及び（第２の）枢軸３０２によって取り付けられている。
【００６０】
ボタン部材２０は、回転の中心となる（第１の）枢軸３００及び（第２の）枢軸３０２より保持部材１６の長手方向における中央及び第２の綴環部材１４から離れる側に、指で押すための押圧部３０４を形成されている。
【００６１】
ボタン部材２０は、（第１の）枢軸３００及び（第２の）枢軸３０２より保持部材１６の長手方向の中央側及び第２の綴環部材１４側に、第１の腕部３２０及び第２の腕部３３０を形成されている。
【００６２】
ボタン部材２０は、保持部材１６の被綴じ物載置部２００の内側面に対向する平面を有する突出部３０６及び突出部３０８を備えており、該突出部３０６及び突出部３０８の保持部材１６の第１の側壁２０４及び第２の側壁２０６側の平面に、（第１の）枢軸３００及び（第２の）枢軸３０２を側方に向けて突設されている。
（第１の）枢軸３００は、略円柱状であり、保持部材１６の一方の保持壁たる第１の側壁２０４に対向する突出部３０６の平面において、水平方向に突設されている。
（第２の）枢軸３０２は、略円柱状であり、保持部材１６の他方の保持壁たる第２の側壁２０６に対向する突出部３０８の平面において、水平方向に突設されている。
（第１の）枢軸３００と（第２の）枢軸３０２とは、反対方向に向いて突設されている。
【００６３】
ボタン部材２０は、ポリアセタール等の弾力性を有する合成樹脂で一体成形されている。
第１の腕部３２０及び第２の腕部３３０は、押圧部３０４より比較的薄い帯状体として形成され、弾力性及び復元性を有している。
【００６４】
（第１の）枢軸３００は、保持部材１６の第１の側壁２０４に穿設された（第１の）枢支孔２９０に回動自在に貫挿されている。
（第２の）枢軸３０２は、保持部材１６の第２の側壁２０６に穿設された（第２の）枢支孔２９２に回動自在に貫挿されている。
（第１の）枢支孔２９０と（第２の）枢支孔２９２とは、反対方向に向いた（第１の）枢軸３００及び（第２の）枢軸３０２に対応して、対向している。
【００６５】
ボタン部材２０は、（第１の）枢軸３００より上方を経て、第２の綴環部材１４の第２の半割杆６０の綴環係合部３２（第２の綴環係止部４６）を離間させる方向（すなわち手前側）とは反対側、すなわち向こう側にのびる、第１の腕部３２０が、押圧部３０４に連設されている。
ボタン部材２０は、（第２の）枢軸３０２より下方を経て、第１の綴環部材１２の第１の半割杆５０の綴環係合部３２（第１の綴環係止部３６）を離間させる方向すなわち向こう側にのびる第２の腕部３３０が、押圧部３０４に連設されている。
【００６６】
押圧部３０４は、第１の綴環部材１２の第１の基部３０及び第２の綴環部材１４の第２の基部４０に立設された第１の半割杆５０及び第２の半割杆６０の円形面と略々同じ方向にのびる、舌状である。
押圧部３０４は、指で押す面である表面が第１の綴環部材１２及び第２の綴環部材１４側に向き、背面が第１の綴環部材１２及び第２の綴環部材１４とは反対側に向く。
押圧部３０４の背面の下方領域は、（第１の）枢軸３００及び（第２の）枢軸３０２の高さ位置から下方が切り欠かれており、押圧部３０４を押し下げたとき、（第１の）枢軸３００及び（第２の）枢軸３０２を中心として、ボタン部材２０が背面側に回転するように構成されている。
【００６７】
突出部３０６は、押圧部３０４の右端側の下端部より第１の基部３０側に向けて突き出された板状体であって、第１の側壁２０４側に平面を備える。
突出部３０８は、押圧部３０４の左端側の下端部より第２の基部４０側に向けて突き出された板状体であって、第２の側壁２０６側に平面を備える。
【００６８】
（第１の）枢軸３００は、突出部３０６の第１の側壁２０４と対向する平面において、第１の半割杆５０の根本部及び第２の半割杆６０の根本部が第１の基部３０及び第２の基部４０に固着された部分を通る前後軸Ｘ１及びＸ２（図４５図示）に直交する方向に突設された、円柱状体である。
（第２の）枢軸３０２は、突出部３０８の第２の側壁２０６側と対向する平面において、第１の半割杆５０の根本部及び第２の綴環部材１４の基部が第１の基部３０及び第２の基部４０に固着された部分を通る前後軸Ｘ１及びＸ２（図４５図示）に直交する方向に突設された、円柱状体である。
【００６９】
第１の腕部３２０及び第２の腕部３３０は、突出部３０６と突出部３０８との間において、押圧部３０４の下端部より第１の基部３０及び第２の基部４０側に向けて突き出されている。
第１の腕部３２０は、押圧部３０４の右端寄りの下端部近傍より（第１の）枢軸３００の上方を経て第１の基部３０側に向けてのびる、弾力性を有する帯状体である。
第２の腕部３３０は、押圧部３０４の左端寄りの下端部近傍より（第２の）枢軸３０２の下方を経て第２の基部４０側に向けてのびる、弾力性を有する帯状体である。
【００７０】
第１の腕部３２０は、（第１の）枢軸３００より上方においてのびる第１作用部３２２と、該第１作用部３２２より第２の基部４０側に向いて（第１の）枢軸３００の向こう側において同じ高さ位置において、第２の綴環部材１４の第２の基部４０側に向いてのびる略直線状の第１の連結部３２４とを有している。
第１作用部３２２は、第２の基部４０を移動させるようにわん曲して作用する。
第１作用部３２２と第１の連結部３２４とは、（第１の）枢軸３００より第２の基部４０側において、連結されている。
ここに、上方とは、第１の綴環部材１２の軸Ｚ１及び第２の綴環部材１４の軸Ｚ２（図７図示）が構成する円形面ののびる方向をいう。
【００７１】
第２の腕部３３０は、（第２の）枢軸３０２より下方に凹んだわん曲してのびる第２作用部３３２と、該第２作用部３３２より第２の基部４０に向いてのびる略々直線状の第２の連結部３３４とを有している。
第２作用部３３２と第２の連結部３３４とは、（第２の）枢軸３０２より第２の基部４０側において、連結されている。
ここに、下方とは、第１の綴環部材１２の第１の半割杆５０の軸Ｚ１及び第２の綴環部材１４の第２の半割杆６０の軸Ｚ２（図４６図示）が構成する円形面ののびる方向とは反対側の方向をいう。
【００７２】
第１作用部３２２及び第２作用部３３２は、弾力性を有し、押圧部３０４を指で押していないときには、第１の綴環部材１２の第１の半割杆５０及び第２の綴環部材１４の第２の半割杆６０を閉じる位置に第１の基部３０及び第２の基部４０を位置させるように復元するように構成されている。
【００７３】
ボタン部材２０の（第１の）枢軸３００及び（第２の）枢軸３０２は、  第１の綴環部材１２の第１の基部３０に間隔をおいて並列して設けられた第１の半割杆５０の根本部を結ぶ方向（図４５図示Ｘ１の方向）及び第２の綴環部材１４の第２の基部４０に間隔をおいて並列して設けられた第２の半割杆６０の根本部を結ぶ方向（図４５図示Ｘ２方向）と直交する方向にのびる。
第１の綴環部材１２の第１の基部３０に間隔をおいて並列して設けられた第１の綴環部材１２の第１の半割杆５０の根本部を結ぶ方向（図４５図示Ｘ１の方向）及び第２の綴環部材１４の第２の基部４０に間隔をおいて並列して設けられた第２の綴環部材１４第２の半割杆６０の根本部を結ぶ方向（図４５Ｘ２方向）
ボタン部材２０の第１の腕部３２０及び第２の腕部３３０は、  第１の綴環部材１２の第１の基部３０に間隔をおいて並列して設けられた第１の半割杆５０の根本部を結ぶ方向（図４５図示Ｘ１の方向）及び第２の綴環部材１４の第２の基部４０に間隔をおいて並列して設けられた第２の半割杆６０の根本部を結ぶ方向（図図４５図示Ｘ２方向）に略々沿う方向にのびる。
ボタン部材２０の突出部３０６及び突出部３０８は、第１の綴環部材１２の第１の基部３０に間隔をおいて並列して設けられた第１の半割杆５０の根本部を結ぶ方向（図４５図示Ｘ１の方向）及び第２の綴環部材１４の第２の基部４０に間隔をおいて並列して設けられた第２の半割杆６０の根本部を結ぶ方向（図４５図示Ｘ２方向）に略々沿う方向にのびる。
ボタン部材２０の第１の腕部３２０と第２の腕部３３０とは、その間にスリットが形成されており、別々の作用をする。該スリットは、押圧部３０４の下端近傍に食い込む。
第１の腕部３２０は、隣接する突出部３０６とはその間にスリットが形成されており、第２の腕部３３０は、隣接する突出部３０８とはその間にスリットが形成されている。該スリットは、押圧部３０４の下端近傍に食い込む。
【００７４】
第１の腕部３２０は、一方の作動片（第２の基部４０）を、第１の綴環部材１２の綴杆係合部３２及び第２の綴環部材１４の第２の半割杆６０を開閉させるように移動可能にできるように、一方の作動片（第２の基部４０）に取り付けられている。
第２の腕部３３０は、他方の作動片（第１の基部３０）を、第１の綴環部材１２の綴杆係合部３２及び第２の綴環部材１４の第２の基部４０を開閉させるように移動可能にできるように、他方の作動片（第１の基部３０）に取り付けられている。
ボタン部材２０を操作しないときは、第１の綴環部材１２の第１の基部３０及び第２の綴環部材１４の第２の基部４０が閉じた状態に保たれており、第１の腕部３２０の第１の連結部３２４が第２の基部４０と略平面状に並列し、第２の腕部３３０の第２の連結部３３４が第１の基部３０と略平面に並列する。
【００７５】
ボタン部材２０は、押圧部３０４の自由端側を下方に押すことにより、第１の腕部３２０に連設された第２の基部４０を第１の綴環部材１２の第１の半割杆５０及び第２の綴環部材１４の第２の半割杆６０の綴杆係合部３２（第１の穴部３４及び第２の穴部４４）を離間させる側すなわち手前側に移動させ、且つ、第２の腕部３３０に連設された第１の基部３０を第１の綴環部材１２の第１の半割杆５０及び第２の綴環部材１４の第２の半割杆６０の綴杆係合部３２（第１の穴部３４及び第２の穴部４４）を離間させる側すなわち向こう側に移動させる。
【００７６】
第１の貫挿軸３２６は、第１の連結部３２４の下面より下方に向いて、すなわち、第２の基部４０の第２の半割杆６０の根本部が固着された表面及びそれと背中合わせの背面と直交する方向に、突設された円柱状である。
第２の貫挿軸３３６は、第２の連結部３３４の上面より上方に向いて、すなわち、第１の基部３０の第１の半割杆５０の根本部が固着された表面及びそれと背中合わせの背面と直交する方向に、突設された円柱状である。
【００７７】
ボタン部材２０は、第１の腕部３２０側に、押圧部３０４とは反対側に一方の作動片（第２の基部４０）に取り付けるための第１の貫挿軸３２６を突設されている。
該第１の貫挿軸３２６は、一方の作動片（第２の基部４０）を第１の綴環部材１２及び第２の綴環部材１４を開閉させるように移動できるように、一方の作動片（第２の基部４０）の手前に穿設されたボタン部材取り付け孔１６２に緩挿されている。
【００７８】
ボタン部材２０は、第２の腕部３３０側に、押圧部３０４とは反対側に他方の作動片（第１の基部３０）に取り付けるための第２の貫挿軸３３６を突設されている。
該第２の貫挿軸３３６が、他方の作動片（第１の基部３０）を第１の綴環部材１２及び第２の綴環部材１４を開閉させるように移動できるように、他方の作動片（第１の基部３０）の手前に穿設されたボタン部材取り付け孔１６０に緩挿されている。
【００７９】
第１の腕部３２０は、第１の連結部３２４が第２の基部４０の手前側の上面に当接され、第１の貫挿軸３２６が第２の基部４０の手前側に穿設されたボタン部材取り付け孔１６２に貫挿されている。
第２の腕部３３０は、第２の連結部３３４が第１の基部３０の手前側の下面に当接され、第２の貫挿軸３３６が第１の基部３０の手前側に穿設されたボタン部材取り付け孔１６０に貫挿されている。
ボタン部材取り付け孔２４２の径は、第１の貫挿軸３２６の径より長く、ボタン部材取り付け孔２４２と第１の貫挿軸３２６との間に隙間がある。
ボタン部材取り付け孔２４０の径は、第２の貫挿軸３３６の径より長く、ボタン部材取り付け孔２４０と第２の貫挿軸３３６との間に隙間がある。
第１の綴環部材１２及び第２の綴環部材１４を開閉するとき、第１の基部３０及び第２の基部４０は、揺動して、第１の基部３０の突き合わせ縁３０ａ及び第２の基部４０の突き合わせ縁４０ａが保持部材１６の被綴じ物載置部２００側に接近したり離間したりすることができる。
第１の綴環部材１２及び第２の綴環部材１４を開閉するとき、第１の基部３０及び第２の基部４０は、第１の綴環部材１２の第１の基部３０に間隔をおいて並列して設けられた第１の半割杆５０の根本部を結ぶ方向（図４５図示Ｘ１の方向）及び第２の綴環部材１４の第２の基部４０に間隔をおいて並列して設けられた第２の半割杆６０の根本部を結ぶ方向（図４５図示Ｘ２方向）に移動して、第１の基部３０の突き合わせ縁３０ａ及び第２の基部４０の突き合わせ縁４０ａが保持部材１６の被綴じ物載置部２００側に接近したり離間したりすることができる。
【００８０】
保持部材１６は、一方の端部及び／又は他方の端部に、作動部材１８を移動させるためのボタン部材２０を取り付ける空所２５０が形成されている。
【００８１】
空所２５０は、ボタン部材２０が第１の綴環部材１２の第１の基部３０と第２の綴環部材１４の第２の基部４０とが並列する方向、すなわち、第１の綴環部材１２の第１の基部３０に間隔をおいて並列して設けられた第１の半割杆５０の根本部を結ぶ方向（図４５図示Ｘ１の方向）及び第２の綴環部材１４の第２の基部４０に間隔をおいて並列して設けられた第２の半割杆６０の根本部を結ぶ方向（図４５図示Ｘ２方向）に回転するように取り付けられている。
【００８２】
保持部材１６は、該空所２５０に続いてボタン部材２０の回転角度を規制するための回転角度規制部２５２を形成されている。
【００８３】
回転角度規制部２５２は、保持部材１６の一方の端部（手前側の端部）において、保持部材１６並びに第１の綴環部材１２の第１の基部３０及び第２の綴環部材１４の第２の基部４０の幅方向にのびる棒状であって、ボタン部材２０の押圧部３０４の手前側面（指で押圧する面の裏側）が、ボタン部材２０の押圧部３０４を押し下げて傾けたときに当接するように構成されている。
ボタン部材２０は、回転角度規制部２５２によって、適宜な角度で停止するように構成されている。
【００８４】
該空所２５０に続いて形成された、回転角度規制部２５２は、ボタン部材２０の押圧する距離を規制するために、保持部材１６の幅方向にのびる棒状の押圧距離規制部を構成する。
【００８５】
ボタン部材２０は、第１の綴環部材１２の綴杆係合部３２及び第２の綴環部材１４の第２の綴杆４２を開くために、押圧部３０４の表面を指で押し下げると、押圧部３０４の下部領域より第１の綴環部材１２及び第２の綴環部材１４並びに第１の基部３０及び第２の基部４０寄りにある（第１の）枢軸３００及び（第２の）枢軸３０２を中心として回転して、押圧部３０４の先端（自由端）が下方に下がる。
このとき、第１の腕部３２０は、第１作用部３２２が少し上方にわん曲しているので、（第１の）枢軸３００に沿って第１作用部３２２が手前側に引かれて第１の連結部３２４が第２の綴環部材１４及び第２の基部４０とが手前側（押圧部３０４側）方向に引かれる。
第１の腕部３２０は、第１作用部３２２の押圧部３０４側が（第１の）枢軸３００を中心として回転して、第２の綴環部材１４及び第２の基部４０とが手前側（押圧部３０４側）方向に引かれることにより、第１の連結部３２４によって第２の基部４０をボタン部材２０側に引く。
すなわち、押圧部３０４の押し下げにより、第１の腕部３２０を手前側に引くと、第１の腕部３２０に連結された第２の基部４０が手前側に移動する。
一方、第２の腕部３３０は、第２作用部３３２が少し向こう側にのびるようにして、第２の連結部３３４を第１の綴環部材１２の手前第１の基部３０側に向いてスライドする。
第２の腕部３３０は、第２作用部３３２の押圧部３０４側が、（第２の）枢軸３０２を中心として回転して、第１の綴環部材１２に向いて移動することにより、第２の連結部３３４によって第１の基部３０を、ボタン部材２０が位置する側とは反対側の保持部材１６の端部に向けて、押す。
すなわち、押圧部３０４の押し下げにより第２の腕部３３０を向こう側に押すと、第２の腕部３３０に連結された第１の基部３０が向こう側に移動する。
【００８６】
ボタン部材２０を指で押して、第１の綴環部材１２の綴杆係合部３２及び第２の綴環部材１４の第２の綴杆４２を開き始めると、１対の前記第１の基部３０及び第２の基部４０は、前記保持部材１６の長手方向において互いに逆方向に移動させることにより、前記半割杆の組み合わせによる前記第１の綴環部材１２の第１の半割杆５０及び第２の綴環部材１４の第２の半割杆６０が分離され、前記第１の綴環部材１２の第１の半割杆５０及び第２の綴環部材１４の第２の半割杆６０が分離されたときに、前記開閉部材１８は、前記第１の基部３０と第２の基部４０とを付勢して、前記第１の半割杆５０と第２の半割杆６０とを開放させる。
【００８７】
[綴環]
第１の綴環部材１２は、略Ｕ字状ないし略円環状の第１綴環２２及び第１綴環２４となるように、略Ｊ字状ないし半円弧状の第１の半割杆５０が形成され、第２の綴環部材１４は、略Ｊ字状ないし略円環状の第１綴環２２及び第１綴環２４となるように、略Ｊ字状ないし半円弧状の第２の半割杆６０が形成されている。そして、用紙等の被綴じ物Ｓに予め穿設された綴じ孔に挿通して、用紙等の被綴じ物Ｓを綴じることができるように、第１の半割杆５０の先端及び第２の半割杆６０の先端、すなわち第１の半割杆５０及び第２の半割杆６０の頂部において、綴環係合部３２（第１の綴環係止部３６及び第２の綴環係止部４６）が形成されている。
【００８８】
この実施の形態においては、第１の綴環部材１２を構成する第１の半割杆５０と第２の綴環部材１４を構成する第２の半割杆６０とは、同じ形状、すなわち曲率（曲率半径）が同じものである。
第１の綴環部材１２を構成する第１の半割杆５０と第２の綴環部材１４を構成する第２の半割杆６０は、第１の綴環係止部３６の自由端の第２の綴環係止部４６と、第２の半割杆６０の自由端の綴杆係止部５０とを係止することにより、環状に連結される。
【００８９】
第１の半割杆５０は、第１の基部３０の上面から上方であって保持部材１６の被綴じ物載置部２００より更に上方向に向けて、上方にのび、その自由端で内側（被綴じ物載置部２００の幅方向の中央側）にわん曲してのびる。
第２の半割杆６０は、第２の基部４０の上面から上方であって保持部材１６の被綴じ物載置部２００より更に上方向に向けて、上方にのび、その自由端で内側（被綴じ物載置部２００の幅方向の中央側）にわん曲してのびる。
第１の半割杆５０は、その自由端の第１の綴環係止部３６が保持部材１６の幅方向における中央近傍に位置するように形成されている。
第２の半割杆６０は、その自由端の第２の綴環係止部４６が保持部材１６の幅方向における中央近傍に位置するように形成されている。
【００９０】
第１の綴環部材１２の綴杆係合部３２及び第２の綴環部材１４の第２の綴杆４２は、それぞれの根本部が第１の基部３０及び第２の基部４０に固着された部分（４箇所）を通る左右軸Ｙ１，Ｙ２及び前後軸Ｘ１，Ｘ２（図４５図示）を含む平面Ｐxyと垂直な平面を構成するように、第１の基部３０と第２の基部４０より立設されている。そして、第１の綴環部材１２の第１の半割杆５０の軸Ｚ１（図４６図示）が構成する円形面と第２の綴環部材１４の軸Ｚ２（図４６図示）が構成する円形面とは、平行で、且つ、第１の半割杆５０と第２の半割杆６０とが第１の基部３０と第２の基部４０と固着された部位を通る平面Ｐxyと垂直となるように構成されている。
【００９１】
前記綴杆は、図１７〜図２３に示すように、直接指で閉じられる主綴杆たる第１の綴環部材１２と、該第１の綴環部材１２の閉じる方向に向けての作動に追動する副綴杆たる第２の綴環部材１４とにより構成されている。
そして、第１の綴環部材１２は、並列した複数の第１の半割杆５０が同一方向（図４５のＯ１方向）に向けて、その第１の綴環係止部３６を指で外すことができるように構成されている。
第２の綴環部材１４は、並列した複数の第２の半割杆６０が同一方向（図４５のＯ２方向）に向けて、その第２の綴環係止部４６指で外すことができるように構成されている。
第１の綴環部材１２を構成する第１の半割杆５０の先端に形成された第１の綴環係止部３６を構成する先端の凸部１３０及びその凸部１３０に続く凹部１３２とを有する。凸部１３０及び凹部１３２は、第２の綴環係止部４６を構成する先端の凸部１４０及びその先端の凸部１４０に続く凹部１４２と、第１の綴環係止部３６と第２の綴環係止部４６とを閉じたとき係合するように逆方向に向けて突き出しあるいは凹み形成されている。
第１の綴環部材１２の凸部１３０は、それぞれ先端から内側に向けて湾曲凸面を有する傾斜対向面１３０ａと、傾斜対向面１３０ａに続き、凸部１３０から除々に内端側（すなわち開く方向）に入り込んだ傾斜対向面１３０ｂ及び傾斜対向面５４ｄが形成され、先端近傍が鉤状で、全体として鉤鼻状に形成されている。
第１の綴環部材１２の凹部１３２は、基部側から先端に向けて湾曲凹面を有する傾斜対向面を備えている。
また、第２の綴環部材１４を構成する先端に形成された第２の綴環係止部４６を構成する凸部１４０及びその凸部１４０に続く凹部１４２は、第１の綴環係止部３６と第２の綴環係止部４６を閉じたとき係合するように逆方向に向けて突き出しあるいは凹み形成されている。
第２の綴環部材１４の凸部１４０は、それぞれ先端から内側に向けて湾曲凸面を有する傾斜対向面１４０ａと、傾斜対向面１４０ａに続き、凸部１３０から除々に内端側（すなわち開く方向）に入り込んだ傾斜対向面１３０ａが形成され、後端近傍が鉤状で、全体として鉤鼻状に形成されている。
第２の綴環部材１４の凹部１４２は、基部側から先端に向けて湾曲凹面を有する傾斜対向面を備え、凹部５８ｂは、同様に湾曲凹面を有する傾斜対向面を備えている。
【００９２】
第１の半割杆５０の綴杆係止部５０を構成する凸部２１６及び第３の半割杆１４ａの綴杆係止部５０を構成する凸部１４０は、同一方向に向けて突き出し設けられ、先端部から基部側にかけて形成された湾曲凸面を備え、両方が同一形状に形成されている。
また、第１の半割杆５０の綴杆係止部５０を構成する凹部１３２及び第３の半割杆１４ａの綴杆係止部５０を構成する凹部１４２は、同一方向に向けて凹み形成され、凸部２２６及び凸部１４０の後端から基部側にかけて形成された湾曲凹面を備え、両方が同一形状に形成されている。
第２の半割杆６０の綴杆係止部５０を構成する凸部２２６及び第４の半割杆１４ｂの綴杆係止部５０を構成する凸部５８ａは、同一方向に向けて突き出し設けられ、先端部から基部側にかけて形成された湾曲凸面を備え、両方が同一形状に形成されている。
また、第２の半割杆６０の綴杆係止部５０を構成する凹部５４ｂ及び第４の半割杆１４ｂの綴杆係止部５０を構成する凹部５８ｂは、同一方向に向けて凹み形成され、凸部２２６及び凸部５８ａの後端から基部側にかけて形成された湾曲凹面を備え、両方が同一形状に形成されている。
第１の半割杆５０の凸部２１６及び凹部１３２と第２の半割杆６０の凸部２２６及び凹部５４ｂとは点対称に形成され、第３の半割杆１４ａの凸部１４０及び凹部１４２と第４の半割杆１４ｂの凸部５８ａ及び凹部５８ｂとは点対称に形成されている。
【００９３】
[保持部材]
保持部材１６の被綴じ物載置部２００には、被綴じ物載置部２００の長手方向に延びるが膨出部２２８が形成され、膨出部２３０は、中央が膨み、第１の綴環部材１２の第１の基部３０及び第２の綴環部材１４の第２の基部４０が上側に向いて回転するとともに、開閉部材１８が上側に向いて移動したときに、被綴じ物載置部２００の内面と当接しないようにするために、被綴じ物載置部２００の長手方向に延びて形成されている。
そして、前記保持部材１６は、作動部材１８に間隔をおいて設けられた第１の綴環部材１２の第１の基部３０及び第２の綴環部材１４の第２の基部４０ののびる方向に近い方向にのびる第１の足部２１２及び足本体２２４を有し、前記保持部材１６の第１の足部２１２及び足本体２２４により、第１の綴環部材１２及び第２の綴環部材１４を保持部材１６に保持するための保持部が形成され、前記１２及び第２の綴環部材１４は、前記第１の綴環部材１２の綴杆係合部３２及び第２の綴環部材１４の第２の綴杆４２を開閉するとき、前記第１の側壁２０４及び第２の側壁２０６に沿って移動するように構成されている。
【００９４】
前記保持部材１６は、前記したように、作動部材１８に間隔をおいて設けられた第１の綴環部材１２と第２の綴環部材１４との基部を結ぶ方向（図４５図示Ｘ１及びＸ２方向）に近い方向にのびる、第１の側壁２０４と第２の側壁２０６とからなる保持壁を有している。
【００９５】
次に、保持部材１６を第１の綴環部材１２及び第２の綴環部材１４に取り付ける方法について、主として図２７に基づいて説明する。
第１の綴環部材１２の第１の穴部３４に、保持部材１６の第１の足部２１２を、差し込む。
次に、第２の綴環部材１４の第２の穴部４４に、第１の足部２１２と第２の足部２２２の間隔を縮めながら、保持部材１６の第２の足部２２２を、差し込む。
保持部材１６は、比較的弾力性を有する合成樹で一体成形されているので、第１の足部２１２及び第２の足部２２２が第１の綴環部材１２の第１の穴部３４及び第２の綴環部材１４の第２の穴部４４に差し込まれた後、元の状態に復原して、第１の綴環部材１２と第２の綴環部材１４を一直線状（図５５図示Ｘ１及びＸ２に沿った状態）に並列した状態で保持する。
このようにして、第１の綴環部材１２及び第２の綴環部材１４は、保持部材１６に取り付けられる。
【００９６】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
例えば、図４４に示すように、第１の綴環部材１２の第１綴環２２及び第２の綴環部材１４の第２綴環２４の形状は、第１の基部３０及び第２の基部４０から上方に向けて突設された略々円弧状であってもよい。
第１の半割杆５０は、第１の基部３０の外側端縁３０ｂよりやや外側に膨出した半円形状であり、第２の半割杆６０は、第２の基部４０の外側端縁４０ｂよりやや外側に膨出した半円形状とし、綴杆係合部３２に係合されて略々円形状の第１綴環２２及び第１綴環２４を構成する。
開閉部材１８は、第１綴環２２及び第２綴環２４を開くように機能する前記実施の形態とは異なり、第１綴環２２及び第２綴環２４を閉じるように機能する構成でもよく、又、開くように機能する機序と閉じるように機能する機序とを兼備していてもよい。
【産業上の利用可能性】
【００９７】
この発明に係る綴じ具は、ファイル・バインダ等の用箋等を綴じる綴じ具として用いることができる。
【符号の説明】
【００９８】
１０  綴じ具
１２  第１の綴環部材
１４  第２の綴環部材
２２  第１綴環
２４  第２綴環
２６  綴環取付け部
３２  綴環係合部
３４  第１の穴部
４４  第２の穴部
３６  第１の綴環係止部
４６  第２の綴環係止部
５０  第１の半割杆
６０  第２の半割杆
３０  第１の基部
３０ａ  突き合わせ縁
４０ａ  突き合わせ縁
６２，６４  係合部
８０  規制凹部
８２  規制凸起
４０  第２の基部
３０ｂ  外側端縁
４０ｂ  外側端縁
７２，７４  係合部
９０  規制凹部
９２  規制凸起
１００  開閉部材収容部
１０２，１０４  凹み
１１０，１１２  開閉部材固定部
１３０，１４０  凸部
１３０ａ，１３０ｂ  傾斜対向面
１３２，１４２  凹部
１３２ａ，１４２ａ  凸部の傾斜対向面
１３２ｂ，１４２ｂ  凸部の傾斜対向面
１３６，１３８  摺動部
１４０ａ，１４０ｂ  傾斜対向面
１６０  （第１）のボタン部材取付け孔
１６２  （第２）のボタン部材取付け孔
１６  保持部材
２００  被綴じ物載置部
２０２  側壁
２０４  第１の側壁
２０６  第２の側壁
２１０  足部
２１２  第１の足部
２２２  第２の足部
２１４、２２４  足本体
２１６  第１凸部
２２６  第２凸部
２３０  膨出部
２４０  第１の綴環貫挿孔
２４２  第２の綴環貫挿孔
２５０  空所
２５２  回転角度規制部
２６０  取付孔
２６２  第１の取付孔
２６４  第２の取付孔
２９０  （第１の）枢支孔
２９２  （第２の）枢支孔
１８  開閉部材
１８０  開閉部材の一方の固定先端部
１８２  開閉部材の他方の固定先端部
１８４  巻線部
１８６  規制腕部
１８８  規制腕部
２０  ボタン部材
３０４  押圧部
３０６  突出部
３０８  突出部
３２０  第１の腕部
３２２  第１作用部
３２４  第１の連結部
３２６  第１の貫挿軸
３３０  第２の腕部
３３２  第２作用部
３３４  第２の連結部
３３６  第２の貫挿軸
５００  ファイル・バインダ
５１０  表紙
５１２  表表紙
５１４  裏表紙
５１６  背表紙
５１８，５２０  薄肉ヒンジ部
【図１】
2016076204.tif 000003
【図２】
2016076204.tif 000004
【図３】
2016076204.tif 000005
【図４】
2016076204.tif 000006
【図５】
2016076204.tif 000007
【図６】
2016076204.tif 000008
【図７】
2016076204.tif 000009
【図８Ａ】
2016076204.tif 000010
【図８Ｂ】
2016076204.tif 000011
【図９】
2016076204.tif 000012
【図１０Ａ】
2016076204.tif 000013
【図１０Ｂ】
2016076204.tif 000014
【図１０Ｃ】
2016076204.tif 000015
【図１０Ｄ】
2016076204.tif 000016
【図１１】
2016076204.tif 000017
【図１２】
2016076204.tif 000018
【図１３】
2016076204.tif 000019
【図１４】
2016076204.tif 000020
【図１５】
2016076204.tif 000021
【図１６】
2016076204.tif 000022
【図１７】
2016076204.tif 000023
【図１８】
2016076204.tif 000024
【図１９Ａ】
2016076204.tif 000025
【図１９Ｂ】
2016076204.tif 000026
【図１９Ｃ】
2016076204.tif 000027
【図２０Ａ】
2016076204.tif 000028
【図２０Ｂ】
2016076204.tif 000029
【図２１】
2016076204.tif 000030
【図２２】
2016076204.tif 000031
【図２３】
2016076204.tif 000032
【図２４】
2016076204.tif 000033
【図２５】
2016076204.tif 000034
【図２６】
2016076204.tif 000035
【図２７】
2016076204.tif 000036
【図２８】
2016076204.tif 000037
【図２９】
2016076204.tif 000038
【図３０】
2016076204.tif 000039
【図３１】
2016076204.tif 000040
【図３２】
2016076204.tif 000041
【図３３】
2016076204.tif 000042
【図３４】
2016076204.tif 000043
【図３５】
2016076204.tif 000044
【図３６】
2016076204.tif 000045
【図３７】
2016076204.tif 000046
【図３８】
2016076204.tif 000047
【図３９】
2016076204.tif 000048
【図４０】
2016076204.tif 000049
【図４１】
2016076204.tif 000050
【図４２】
2016076204.tif 000051
【図４３】
2016076204.tif 000052
【図４４】
2016076204.tif 000053
【図４５】
2016076204.tif 000054
【図４６】
2016076204.tif 000055
【手続補正書】
【提出日】平成28年2月10日(2016.2.10)
【手続補正１】
【補正対象書類名】明細書
【補正対象項目名】００１６
【補正方法】変更
【補正の内容】
【００１６】
前記第１の綴環部材１２は、複数の第１綴環２２及び、第２綴環２４が保持部材の長手方向において一直線状に並列するように、基部３０の軸方向に複数の第１の半割杆５０が基部３０に立設され、後述する保持部材１６の足部２１０を移動自在に差し込むための第１の穴部３４又は凹部が基部３０に形成されている。第１の半割杆５０は、一定の間隔をおいて、第１の基部３０の長手方向に一直線上に並列されている。
前記第２の綴環部材１４は、複数の第１綴環２２及び、第２綴環２４が保持部材の長手方向において一直線状に並列するように、基部４０の軸方向に複数の第２の半割杆６０が基部４０に立設され、後述する保持部材１６の足部２１０を移動自在に差し込むための第２の穴部４４又は凹部が基部４０に形成されている。第２の半割杆６０は、一定の間隔をおいて、第２の基部４０の長手方向に一直線上に並列されている。
【手続補正書】
【提出日】平成29年1月6日(2017.1.6)
【手続補正１】
【補正対象書類名】特許請求の範囲
【補正対象項目名】請求項３
【補正方法】変更
【補正の内容】
【請求項３】
前記綴環部材は、基部が、保持部材の端縁より外方に達する幅を備えた、請求項１又は請求項２に記載の綴じ具。
【手続補正２】
【補正対象書類名】明細書
【補正対象項目名】００１７
【補正方法】変更
【補正の内容】
【００１７】
前記綴環部材は、基部が、保持部材１６の左の端縁及び／又は右の端縁より外方に達する幅と、第１の半割杆５０及び第２の半割杆６０を複数並列される長さとを備えている。
前記第１の綴環部材１２は、基部３０が、保持部材１６の左の端より外方に達する幅と、第１の半割杆５０を複数一直線状に並列させるために長さを備えている。
【国際調査報告】
2016076204.tif 000056
2016076204.tif 000057
2016076204.tif 000058
2016076204.tif 000059